(57)【要約】【課題】  医師側が提供する情報が訪問看護において十分に利用され、訪問看護において取得された情報が医師側に十分にフィードバックされるようにする。【解決手段】  医師用端末２は電子カルテ情報を個人医療情報デバイス３に記憶する。訪問看護の際、看護担当者は看護担当者用端末１を携帯し、要看護者が保有する個人医療情報デバイス３を借りて看護担当者用端末１に装着する。看護担当者用端末１は、個人医療情報デバイス３に記憶されている電子カルテ情報を読み取って表示し、要看護者のバイタルデータを含む訪問看護実績情報を個人医療情報デバイス３に記憶する。その後、個人医療情報デバイス３は医師用端末２に装着され、訪問看護実績情報は医師用端末２において閲覧される。【選択図】  図１
2016057716.tif 000002
【特許請求の範囲】
【請求項１】
要看護者の居る場所を看護担当者が訪問して要看護者に訪問看護サービスを提供する際に利用される訪問看護支援システムであって、
要看護者の居る場所を訪問する看護担当者が操作する携帯型の看護担当者用端末と、
病院において要看護者の治療を担当する医師が操作する医師用端末と、
要看護者が保有する個人医療情報デバイスと
を備えており、
個人医療情報デバイスは、可搬型の記憶媒体と、この記憶媒体に記憶された個人の医療情報とから成るものであって、看護担当者用端末と医師用端末の双方に接続されて情報の記憶と読み出しが可能なデバイスであり、
医師用端末は、要看護者の電子カルテ情報を個人医療情報デバイスに記憶することが可能となっており、
看護担当者用端末は、記憶された電子カルテ情報を個人医療情報デバイスから読み出してディスプレイに表示することが可能となっているとともに、訪問看護の際の要看護者の状況に関する情報を含む訪問看護実績情報を個人医療情報デバイスに記憶することが可能となっており、
医師用端末は、訪問看護実績情報を個人医療情報デバイスから読み出してディスプレイに表示することが可能となっていることを特徴とする訪問看護支援システム。
【請求項２】
要看護者の居る場所を看護担当者が訪問して要看護者に訪問看護サービスを提供する際に利用される訪問看護支援システムであって、
要看護者の居る場所を訪問する看護担当者が操作する携帯型の看護担当者用端末と、
病院において要看護者の治療を担当する医師が操作する医師用端末と、
要看護者の電子カルテ情報を保存したカルテ情報保存用サーバーと、
訪問看護の際の要看護者の状況に関する情報を含む訪問看護実績情報を保存した訪問看護実績情報保存用サーバーと
を備えており、
医師用端末は、要看護者の電子カルテ情報をカルテ情報保存用サーバーに送信して保存させることが可能となっており、
看護担当者用端末は、保存された要看護者の電子カルテ情報を電子カルテ情報保存用サーバーから読み出してディスプレイに表示することが可能となっているとともに、訪問看護実績情報を訪問看護実績情報保存用サーバーに送信して保存させることが可能となっており、
医師用端末は、訪問看護実績情報を訪問看護実績情報保存用サーバーから読み出してディスプレイに表示することが可能となっていることを特徴とする訪問看護支援システム。
【請求項３】
前記訪問看護実績情報は、訪問看護の際の要看護者のバイタルデータを含んでおり、バイタルデータは、要看護者の身長、体重、体温、血圧、脈拍数、呼吸数、血糖値、歩数、ウォーキング時間、ＨｂＡ１ｃのうちの一つ以上を含むことを特徴とする請求項１又は２２記載の訪問看護支援システム。
【請求項４】
前記訪問看護実績情報は、訪問看護の際に撮影された要看護者又は要看護者の居る場所の画像のデータを含んでいることを特徴とする請求項１、２又は３記載の訪問看護支援システム。
【請求項５】
前記画像は、訪問看護の際の要看護者の居る場所の状況を撮影したものであって、要看護者の居る位置の周囲３６０度の方位を撮影した画像であることを特徴とする請求項４記載の訪問看護支援システム。
【請求項６】
前記看護担当者用端末には、前記医師又は前記要看護者の家族とビデオ通話を行うことを可能にするプログラムがインストールされていることを特徴とする請求項１乃至５いずれかに記載の訪問看護支援システム。
【発明の詳細な説明】
【技術分野】
【０００１】
本願の発明は、訪問看護サービスの提供に際して利用される支援システムに関するものである。
【背景技術】
【０００２】
近年、高齢化社会の影響等により、訪問看護の患者数が増加している。訪問看護とは、疾病又は負傷により居宅において継続して療養を受ける状態にある者に対し、その者の居宅において看護師等が行う療養上の世話又は必要な診療の補助をいうとされている（厚生労働省中央社会保険医療協議会第２０５回資料（総−１），http://www.mhlw.go.jp/stf/shingi/2r9852000001uo3f-att/2r9852000001uo71.pdfより）。
【０００３】
訪問看護において看護師等が行う看護には、医師の指示による医療処置、血圧・体温・脈拍等のチェック、床ずれによる褥瘡の管理、医療機器のチェック、在宅でのリハビリ、認知症のケア、栄養不足や運動機能の低下を防ぐアドバイス、療養の看護、終末期の看護といった多岐にわたる看護が含まれる。かかる訪問看護へのニーズの高まりによって、近年は、医療機関や福祉機関等と連携して訪問看護を専門に営む訪問看護ステーションの数が増加している。
【０００４】
看護師等が患者宅を訪問して看護を行う際は、医療機関によって交付される訪問看護指示書を携行することが必要とされる。訪問看護指示書には、投薬等の処方やケアを実施する上での留意点などの情報が記載されている。訪問看護指示書は、医療機関を受診した患者が訪問看護指示書を発行してもらい訪問看護サービスが受けられるようになるというものではなく、患者が訪問看護センターに利用したいという要望を出したときに、看護師が医療機関に交付を依頼するという流れで発行される。
尚、訪問看護は、看護師免許を持つ看護師、保健師又は助産師によって行われる。この他、理学療法士、作業療法士又は言語聴覚士が訪問してリハビリ等の看護を行うこともある。これらの者を、この明細書では「看護師等」と呼んでいる。
【先行技術文献】
【非特許文献】
【０００５】
【非特許文献１】厚生労働省中央社会保険医療協議会第２０５回資料（総−１），http://www.mhlw.go.jp/stf/shingi/2r9852000001uo3f-att/2r9852000001uo71.pdf
【発明の概要】
【発明が解決しようとする課題】
【０００６】
このような訪問看護において、サービスの広がりに伴い、現場では次のような課題が発生してきている。
上記のように、訪問看護は訪問看護指示書が医師から発行されることにより提供され、看護師等は訪問看護の際に訪問看護指示書を携行する。訪問看護指示書には、行うべき訪問看護の内容が記載されているものの、患者の健康状態に関する情報、疾病や治療に関する情報が不足しており、きめ細かい適切な看護が行えない事態が生じてきている。
【０００７】
訪問看護指示書は、当該患者の健康状態に基づいて担当医師が発行するから、当然ながら当該患者のカルテが参照され、その上で発行される。しかしながら、訪問患者指示書自体には、カルテ情報は殆ど含まれておらず、訪問看護指示書を見ただけでは、当該患者の疾病の経過や受けてきた治療等は確認できない。より質の高い訪問看護サービスを提供するためには、カルテ情報を参照した上で看護を行うべきであるが、訪問看護の現場では難しい場合が多い。
【０００８】
さらに、訪問看護サービスの広がりに伴い、訪問看護指示書を発行した医師が所属する病院から独立した形で個人で看護師等が訪問看護サービスを提供する場合や、専門の組織（以下、訪問看護ステーションと総称する）によって提供される場合も多くなってきている。このような場合、訪問看護指示書を発行した医師が所属する医院とは別の個人や組織にカルテ情報の閲覧が認められる場合は非常に少ない。
【０００９】
このように、訪問看護においては、患者のカルテ情報の参照なしに看護を行わざるをえない状況となっており、より質の高い看護サービスを提供することの障害となっている。例えば、訪問看護の最中に患者の容態が急変した場合、患者の疾病やそれまでの治療の内容についてより詳細に把握していればより適切な処置が取れる場合が多いが、そのような情報を把握していないために適切な処置が取れないことがあり得る。
【００１０】
一方、訪問看護も、病院内の看護と同様、患者に対する治療の一環であるから、訪問看護において把握された情報は、治療を担当する医師（主治医）に十分にフィードバックされることが望ましい。しかしながら、この点においても、支援する適切な技術的手段がないため、不十分なものとなっている。訪問看護が行われた場合、看護師等は訪問看護報告書を作成し、提出する。報告書については、厚生労働省において一定の様式が定められているものの、主として診療報酬の請求のためであるので、記載内容は大まかであり、また提出の単位も一ヶ月毎といった具合であり、その後の診療に活かせる情報源として十分に機能するには至っていない。訪問看護ステーションによっては、訪問看護の際に詳細な看護日誌を記録して保存している場合もあるが、看護日誌の情報は主治医との間で共用化されていない。このため、訪問看護実施時の各種バイタルデータ等の有益な医療情報が残されていたとしても、主治医において利用できず無駄になってしまっている事例が多く見られる。
【００１１】
本願の発明は、このような訪問看護の現場における情報の共有の問題を解決すべく為されたものであり、治療を行う医師側が提供する情報が訪問看護において十分に利用されるようにするとともに、訪問看護において取得された情報が医師側に十分にフィードバックされて治療に活かされるようにすることを目的としたものであり、このような目的を達成する支援システムを提供するものとなっている。
【課題を解決するための手段】
【００１２】
上記課題を解決するため、本願の請求項１記載の発明は、要看護者の居る場所を看護担当者が訪問して要看護者に訪問看護サービスを提供する際に利用される訪問看護支援システムであって、
要看護者の居る場所を訪問する看護担当者が操作する携帯型の看護担当者用端末と、
病院において要看護者の治療を担当する医師が操作する医師用端末と、
要看護者が保有する個人医療情報デバイスと
を備えており、
個人医療情報デバイスは、可搬型の記憶媒体と、この記憶媒体に記憶された個人の医療情報とから成るものであって、看護担当者用端末と医師用端末の双方に接続されて情報の記憶と読み出しが可能なデバイスであり、
医師用端末は、要看護者の電子カルテ情報を個人医療情報デバイスに記憶することが可能となっており、
看護担当者用端末は、記憶された電子カルテ情報を個人医療情報デバイスから読み出してディスプレイに表示することが可能となっているとともに、訪問看護の際の要看護者の状況に関する情報を含む訪問看護実績情報を個人医療情報デバイスに記憶することが可能となっており、
医師用端末は、訪問看護実績情報を個人医療情報デバイスから読み出してディスプレイに表示することが可能となっているという構成を有する。
また、上記課題を解決するため、請求項２記載の発明は、要看護者の居る場所を看護担当者が訪問して要看護者に訪問看護サービスを提供する際に利用される訪問看護支援システムであって、
要看護者の居る場所を訪問する看護担当者が操作する携帯型の看護担当者用端末と、
病院において要看護者の治療を担当する医師が操作する医師用端末と、
要看護者の電子カルテ情報を保存したカルテ情報保存用サーバーと、
訪問看護の際の要看護者の状況に関する情報を含む訪問看護実績情報を保存した訪問看護実績情報保存用サーバーと
を備えており、
医師用端末は、要看護者の電子カルテ情報をカルテ情報保存用サーバーに送信して保存させることが可能となっており、
看護担当者用端末は、保存された要看護者の電子カルテ情報を電子カルテ情報保存用サーバーから読み出してディスプレイに表示することが可能となっているとともに、訪問看護実績情報を訪問看護実績情報保存用サーバーに送信して保存させることが可能となっており、
医師用端末は、訪問看護実績情報を訪問看護実績情報保存用サーバーから読み出してディスプレイに表示することが可能となっているという構成を有する。
また、上記課題を解決するため、請求項３記載の発明は、前記請求項１又は２の構成において、前記訪問看護実績情報は、訪問看護の際の要看護者のバイタルデータを含んでおり、バイタルデータは、要看護者の身長、体重、体温、血圧、脈拍数、呼吸数、血糖値、歩数、ウォーキング時間、ＨｂＡ１ｃのうちの一つ以上を含むという構成を有する。
また、上記課題を解決するため、請求項４記載の発明は、前記請求項１、２又は３の構成において、前記訪問看護実績情報は、訪問看護の際に撮影された要看護者又は要看護者の居る場所の画像のデータを含んでいるという構成を有する。
また、上記課題を解決するため、請求項５記載の発明は、前記請求項４の構成において、前記画像は、訪問看護の際の要看護者の居る場所の状況を撮影したものであって、要看護者の居る位置の周囲３６０度の方位を撮影した画像であるという構成を有する。
また、上記課題を解決するため、請求項６記載の発明は、前記請求項１乃至５いずれかの構成において、前記看護担当者用端末には、前記医師又は前記要看護者の家族とビデオ通話を行うことを可能にするプログラムがインストールされているという構成を有する。
【発明の効果】
【００１３】
以下に説明する通り、本願発明によれば、訪問看護の際、看護担当者は、要看護者の電子カルテ情報の閲覧が可能であり、疾病の経過や診断、投薬の状況等を確認しながら、訪問看護サービスを行うことができる。このため、よりキメの細かいより適切なサービスが提供される。また、訪問看護実績情報が個人医療情報デバイス又は訪問看護実績情報保存用サーバーに記憶又は保存され、その後の医師による診察の際に訪問看護実績情報を閲覧することができるので、どのような訪問看護が行われたかを確認しながら次の診断や治療、投薬等が行える。このため、医師の診断等もよりキメ細かくより適切に行うことができる。
【図面の簡単な説明】
【００１４】
【図１】実施形態の訪問看護支援システムの概略図である。
【図２】実施形態のシステムにおける訪問看護支援用アプリケーションソフトウェアの構造を示した概略図である。
【図３】メインモジュールによって表示される訪問看護支援用アプリケーションソフトウェアの初期画面を例示的に示した概略図である。
【図４】健康日記トップ画面の概略図である。
【図５】健康日記作成モジュールにより表示される健康日記作成用の画面の構成を例示的に示した概略図である。
【図６】健康日記ファイルの構造の一例を示す概略図である。
【図７】健康日記閲覧編集モジュールで表示される画面の構成を例示的に示した概略図である。
【図８】グラフを表示するサブルーチンの実行結果の一例を示す概略図である。
【図９】データ管理画面の構成を例示的に示した概略図である。
【図１０】カルテ情報閲覧モジュールの実行結果を例示的に示す図であり、電子カルテ情報が閲覧されている状態を示した概略図である。
【図１１】医療プロファイル閲覧画面の構成を例示的に示した概略図である。
【図１２】訪看担当ファイル９１の構造を例示的に示した概略図である。
【図１３】看護日誌ファイル９２の構造を例示的に示した概略図である。
【図１４】訪問看護メイン画面の構成を例示的に示す概略図である。
【図１５】看護日誌記録モジュールによって表示される看護日誌記録画面の構成を例示的に示した概略図である。
【図１６】看護日誌報告モジュールによって表示される看護日誌報告画面の構成を例示的に示した概略図である。
【図１７】ビデオ通話モジュールの実行状況を例示的に示した概略図である。
【図１８】健康管理アプリ選択画面の概略図である。
【図１９】看護日誌閲覧モジュールにより表示される看護日誌閲覧画面の構成を例示的に示した概略図である。
【発明を実施するための形態】
【００１５】
次に、本願発明を実施するための形態（以下、実施形態）について説明する。
図１は、実施形態の訪問看護支援システムの概略図である。図１に示す支援システムは、主として病院外の要看護者の居る場所を看護担当者が訪問して要看護者に訪問看護サービスを提供する際に利用されるシステムである。要看護者とは、訪問看護が必要な者として医者から訪問看護指示書が出されている者である。「要看護者が居る場所」とは、多くの場合、要看護者の自宅であるが、自宅に限られる訳ではない。看護担当者とは、看護師等であり、訪問看護指示書において指示された者である。看護師による看護が指示されている場合、看護師が看護担当者ということになる。
【００１６】
図１に示す支援システムは、要看護者の居る場所を訪問する看護担当者が操作する看護担当者用端末１と、病院において要看護者の治療を担当する医師が操作する医師用端末２と、要看護者が保有する個人医療情報デバイス３とを備えている。また、実施形態の支援システムでは、訪問看護サービスの事業主体は、訪問看護ステーションとなっている。そして、訪問看護ステーションには、訪問看護サーバー９が設けられている。訪問看護サーバー９は、インターネット１００を介して各サーバー２２，４や看護担当者用端末１とつながっている。
【００１７】
まず、実施形態の支援システムにおいて重要な構成要素となっている個人医療情報デバイス３について説明する。なお、以下の実施形態の説明では、個人医療情報デバイス３の使用を前提に説明しているが、個人医療情報デバイスの使用は必須ではない。
個人医療情報デバイス３は、可搬型の記憶媒体と、この記憶媒体に記憶された個人の医療情報及びその他の必要なソフトウェアとから成るものである。可搬型の記憶媒体としては、この実施形態ではＵＳＢメモリが想定されている。この他、ＳＤメモリカードのような他の半導体メモリ系の記憶媒体でも良く、ＭＤやＦＤ、ＣＤ−ＲＷのような書き込み可能なディスク系の記憶媒体が使用されることもある。したがって、この明細書において、「個人医療情報デバイス」における「デバイス」には、ディスク状のものが含まれる。
【００１８】
個人の医療情報については、欧米諸国では、情報の記録、管理を一元化してより活用し易くする仕組みであるＰＨＲ(Personal Health Record)の普及が進んでおり、日本でも導入が検討されている（例えば、経済産業省の「日本版ＰＨＲを活用した新たな健康サービス研究会」の報告書（２００８年３月））。ＰＨＲは、個人の医療情報の記録、管理を一元化してより活用し易くすることを目的としており、用語としては、情報を記録したり管理したりすること自体や、情報の記録や管理を行う社会的仕組みを意味する。一方、実施形態における個人医療情報デバイス３は、個人の医療情報を一元化しようとする点で共通しているが、医療情報が記憶されている具体的なハードウェア（可搬型のデバイス）を意味している点でＰＨＲとは概念的に異なっている。
【００１９】
実施形態における個人医療情報デバイス３は、一人の人間のすべての（又は可能な限りすべての）医療情報を記憶媒体に記録したものとなっている。具体的には、疾病の名称や診察、治療の履歴等の情報を含む電子カルテ情報の他、体温、血圧、脈拍値等のバイタルデータ、さらには既往症や禁忌等の情報が含まれる。バイタルデータは、当該個人が日常的に自分で測定していたデータである他、当該個人が入院していた際に看護師により測定されたデータであり得る。従って、実施形態における個人医療情報デバイス３は、個人がデータを保持するタイプのＰＨＲの仕組みとして利用できるものであって、実施形態のシステムはさらにそれを発展させたものとなっている。
【００２０】
実施形態のシステムは、上記のような個人医療情報デバイス３と、看護担当者用端末１と、医師用端末２と、幾つかの重要なアプリケーションソフトウェアによって構成される。アプリケーションソフトウェアの一つは、個人医療情報デバイス３にインストールされている健康管理用のアプリケーションソフトウェア（以下、健康管理アプリ）である。もう一つの重要なアプリケーションソフトウェアは、看護担当者用端末１にインストールされている訪問看護用のアプリケーションソフトウェア（以下、訪問看護アプリ）である。さらにもう一つの重要なソフトウェアは、医師用端末２で実行されることが予定されているカルテ情報取得用のアプリケーションソフトウェア（以下、カルテ情報取得アプリ）である。
【００２１】
実施形態のシステムにおいて重要なことは、これらアプリが共通のプラットフォーム上で実現されているとともに個人医療情報デバイス３を核として関連づけられている点である。即ち、健康管理アプリと訪問看護アプリは、健康管理用の共通のプロジェクトを含んでおり（以下、このプロジェクトを健康日記プロジェクトという）、共通の健康日記機能を有している。個人医療情報デバイス３上の健康管理アプリは、健康日記プロジェクト用のモジュールとして健康作成モジュールや健康日記閲覧編集モジュールを含むが、これらと同じものが看護担当者用の訪問看護アプリにも含まれている。また、カルテ情報取得アプリは、個人医療情報デバイス３がインストール先となっているとなっているものの、医師用端末２上で実行されるものであって電子カルテ情報の保存先は個人医療情報デバイス３となっており、且つ保存された電子カルテ情報は訪問看護アプリ上で閲覧可能となっている。
【００２２】
これらの点を踏まえ、さらに詳しい説明を行う。まず、個人医療情報デバイス３について説明する。個人医療情報デバイス３には、コンピュータのＯＳにより認識された場合に自動実行されるプログラム（以下、自動実行プログラム）である「autorun.exe」がインストールされている。この他、各種ファイルの保存のため、適宜フォルダが設けられている。個人医療情報デバイス３に記憶されたファイルのうちの一つは、この個人医療情報デバイス３を保有する者の個人情報を記録したファイル（以下、個人情報ファイルという）である。
【００２３】
自動実行プログラムは、ユーザーＩＤとパスワードにより認証を行うコードと、認証された後にアプリ選択画面を表示するコードとを含んでいる。認証用のコードは、ＵＳＢメモリ用のセキュリティソフトと同様のものであり、パスワードにより認証された場合に限りＵＳＢメモリ内の各ファイルへのアクセス権を与えるものである。
【００２４】
健康管理アプリは、個人医療情報デバイス３の所定のディレクトリにインストールされており、このディレクトリを指定することで実行可能となっている。この他、インストール先のディレクトリには、必要な各種設定ファイル、起動用のコマンドボタンを表示するためのファイル等が設けられており、また、健康管理アプリによって操作される各種データファイルが記憶されている。
【００２５】
この実施形態では、バイタルデータの採取（測定）は、要看護者自身が行う場合と、訪問看護時に看護担当者が行う場合とが想定されている。要看護者自身が測定したデータも訪問看護時に看護担当者が測定したデータも共通のファイルに記録されるようになっている。バイタルデータを記録したファイルはデータベース形式のファイルであるが、この実施形態では、バイタルデータは健康日記として記録されるようになっているので、以下、健康日記ファイルと呼ぶ。
【００２６】
また、個人医療情報デバイス３の所定のディレクトリには、このデバイスを保有している者の電子カルテ情報が記憶されている。この実施形態では、電子カルテ情報のファイル（以下、カルテ情報ファイル）は、ＳＳ−ＭＩＸにおけるもののように汎用形式のファイルに変換されて記憶されている。
また、図１に示すように、個人医療情報デバイス３には、訪問看護において作成された看護日誌の内容を記録したファイル（以下、閲覧用看護日誌ファイル）３５１が記憶されている。閲覧用看護日誌ファイルは、後述する訪問看護アプリによって作成される。尚、健康管理アプリには、閲覧用看護日誌ファイルを表示するためのモジュールが含まれている。尚、看護日誌ファイルは、後述するものも含め、訪問看護の実績情報を記録したファイル（訪問看護実績情報ファイル）の具体的態様である。
また、個人情報ファイルは、要看護者の氏名、緊急連絡先の電話番号等を要看護者の個人情報をＣＳＶのような汎用形式で記録したファイルである。
【００２７】
次に、医師用端末２について説明する。
医師用端末２は、医師が使用するコンピュータであり、この実施形態では、電子カルテ情報の記録、訪問看護指示書の入力等を行うものとして設けられている。図１に示すように、医師用端末２は、通常、病院内のネットワーク２１上に設けられている。ネットワーク２１上には、電子カルテサーバー２２が設けられており、医師用端末２がアクセス可能とされている。日々の診察、治療において、医師は、医師用端末２を使用してカルテを電子カルテの形で作成する。病院は、電子カルテのアプリケーションソフトウェア（以下、電子カルテアプリ）を導入しており、医師用端末２において実行可能となっている。電子カルテアプリは、医師用端末２にインストールされている場合もあるし、電子カルテサーバー２２に実装されていて医師用端末２から呼び出されて実行される場合もある。電子カルテアプリに関しては、ＩＴベンダー各社から種々のものが販売されているので、詳細な説明は割愛する。
【００２８】
訪問看護指示書については、訪問看護の種類や診療科目により若干の様式の違いがあり、また厚生労働書の通達により様式が定められているものもある。一例としては、「介護老人ホームからの退所時における老人訪問看護指示加算に係る訪問看護指示書」（平成２１年３月１９日付け厚労省老健局老人保健課長通達、http://www.nurse.or.jp/nursing/practice/housyu/kaigopdf/henko-1.pdf）が挙げられる。
【００２９】
訪問看護指示書は、医師によって必要事項が記入され、発行される。この実施形態では、看護担当者は、訪問看護ステーションに所属する者であることが想定されており、訪問看護指示書は、訪問看護ステーション宛に発行される。訪問看護ステーションは、医師が所属する病院とは別の組織であり得る。
訪問看護指示書の発行は、紙に記入されたものをＦＡＸで送ったり、郵送したりする場合の他、スキャナで読み込んで電子メールに添付して送る場合もある。この他、医師用端末２上で情報を入力してＰＤＦファイル又はイメージファイル等の形で訪問看護指示書を作成し、電子メール添付で送るようにする場合もある。さらには、訪問看護指示書のアプリケーションソフトウェア（以下、指示書発行アプリ）が設けられていて医師用端末２が実行することで発行される場合もある。指示書発行アプリは、医師用端末２にインストールされている場合の他、病院内のサーバーに実装されていたり訪問看護ステーションが管理するサーバーに実装されていたりする場合もあり、医師用端末２が呼び出して実行する場合もある。
【００３０】
実施形態のシステムにおける医師用端末２の重要な機能は、電子カルテ情報を個人医療情報デバイス３に記憶して保存することである。この点については、幾つかの態様があり得る。一つは、医師用端末２で実行される電子カルテアプリがＵＳＢメモリへのデータ保存の機能を備えている場合、それを利用する態様がある。もう一つは、ＳＳ−ＭＩＸのような標準化されたデータ形式への変換手段を利用する態様である。ＳＳ−ＭＩＸでは、標準化されたデータ形式で電子カルテ情報を保存するストレージを含むサーバーを使用することが想定されている。したがって、このようなサーバーにおいて、アクセスしたクライアント上でＵＳＢメモリへのデータダウンロードを許可するようにしておくことで、上記電子カルテ情報の個人医療情報デバイス３への記録、保存が可能となる。即ち、図１に示すように、医師用端末２において、電子カルテアプリ経由でＳＳ−ＭＩＸサーバー４にアクセスし、ＳＳ−ＭＩＸサーバー４のストレージ４１に標準化されたファイル形式でデータ保存をする一方、医師用端末２に個人医療情報デバイス３を装着し、汎用形式のファイルとして当該個人の電子カルテ情報を記憶、保存するようにする。
【００３１】
この実施形態では、後者の構成を採用しており、カルテ情報取得アプリがこの機能を担っている。カルテ情報取得アプリは、訪問看護アプリと連動するよう電子カルテ情報を汎用形式のファイルとして個人医療情報デバイス３の所定のディレクトリに保存するものである。
【００３２】
次に、看護担当者用端末１について説明する。
看護担当者用端末１は、看護担当者が訪問看護の際に携帯することが予定されている端末である。従って、看護担当者用端末１は携帯型のものであり、タブレットＰＣ、ノートＰＣ、スマートフォン等であり得る。
看護担当者用端末１には、実施形態の支援システムの機能の多くを担っている訪問看護アプリがインストールされている。訪問看護アプリは、
・電子カルテ情報の閲覧
・看護日誌の記録
・個人医療情報デバイス３からの情報取得
などの機能を備えたものである。
訪問看護アプリは、Ｗｉｎｄｏｗｓ（マイクロソフト社の登録商標）のような汎用ＯＳ上で動作するソフトウェアであり、各種ファイルの表示、編集等の機能を有するものである。訪問看護アプリは、看護担当者用端末１に予めインストールされ、実行可能とされる。尚、訪問看護アプリは、後述するように要看護者の個人情報を取り扱うので、使用する看護担当者が看護担当者用端末１においてユーザー登録（ＯＳ上のユーザー登録）を行い、パスワード設定等をしておくことが好ましい。即ち、訪問看護アプリは、認証されたユーザーのみが実行できるようにしておくことが好ましい。
【００３３】
尚、訪問看護アプリは、後述するように要看護者の様子等を撮影した画像のイメージデータを取り込む機能を有している。このため、要看護者用端末は、ＰＣに接続可能なカメラとともに使用されるか又はカメラ内蔵であることが好ましい。
また、患者の生活状況を記録する目的としては、患者が普段居る場所の周囲３６０度を撮影した記録とすることが好ましい。このような目的で撮影を行うカメラであってＰＣに接続して映像を取り込むことができるカメラとしては、リコー株式会社から販売されているＴＨＥＴＡ（商品名）が好適に使用できる。
【００３４】
図２は、実施形態のシステムにおける訪問看護アプリのソフトウェア構造を示した概略図である。訪問看護アプリは、オブジェクト指向プログラミングによりプログラミングされており、複数のモジュールによって構成されている。図２は、このモジュール構造を示したものである。
図２に示すように、訪問看護アプリは、メインモジュールが設けられ、この上に健康日記作成モジュール、健康日記閲覧編集モジュール、カルテ情報閲覧モジュール、看護日誌メインモジュール、訪問看護サーバー同期モジュール、看護日誌記録モジュール、看護日誌報告モジュール、看護日誌保存モジュール、ビデオ通話モジュール等が設けられた構造となっている。
【００３５】
メインモジュールは、訪問看護アプリが起動した際に最初に実行されるモジュールであり、起動の際にユーザー情報を保持したり、初期画面を表示したりする機能を有する。
健康日記作成モジュールは、健康日記を新規に作成して保存するためのモジュールである。健康日記閲覧編集モジュールは、作成された健康日記を閲覧したり編集したりするためのモジュールである。
【００３６】
カルテ情報閲覧モジュールは、要看護者のカルテ情報を閲覧するためのモジュールである。訪問看護サーバー同期モジュールは、訪問看護サーバー９との送受信によりデータの同期を行うモジュールである。看護日誌記録モジュールは、看護日誌を構成する各種データを記録するためのモジュールであり、看護日誌報告モジュールは、看護日誌を構成するテキスト情報を報告用として記録するためのモジュールである。
【００３７】
ビデオ通話モジュールは、訪問看護の際に特に必要となり得るビデオ通話（ビデオ電話）を行うためのモジュールである。
尚、各モジュールは、必要な情報を表示したり、コマンドボタンを表示したり、情報の入力を行わせる欄を表示したりするフォームやウインドウを表示するものとなっている。そして、各モジュールは、各コマンドボタンによって実行されるコードや、フォームやウインドウを介してデータファイルとの間でデータのやりとりをするコードを含んでいる。
【００３８】
まず、メインモジュールについて説明する。図３は、メインモジュールによって表示される訪問看護アプリの初期画面を例示的に示した概略図である。図３に示すように、初期画面には、「健康管理」と題されたフレーム内に、「健康日記」と表記されたボタン（以下、健康日記ボタン）５１、「看護日誌」と表記されたボタン（以下、看護日誌ボタン）５２、「カルテ閲覧」と表記されたボタン（以下、カルテ閲覧ボタン）５３が設けられている。また、「ビデオ通話」と題されたフレーム内には、「家族へ」と表記されたボタン（以下、家族通話ボタン）５４と、「主治医へ」と表記されたボタン（以下、主治医通話ボタン）５５とが設けられている。この他、「設定」と表記されたボタン（以下、設定ボタン）５６も設けられている。
【００３９】
図３に示す健康日記ボタン５１は、健康日記のメニューのトップ画面（以下、健康日記トップ画面）を表示するものとなっている。図４は、健康日記トップ画面の概略図である。図４に示すように、健康日記トップ画面には、「新規作成」と表記されたコマンドボタン（健康日記作成ボタン）５７と、「閲覧・編集」と表記されたコマンドボタン（健康日記閲覧編集ボタン）５８とが設けられている。健康日記作成ボタン５７は、健康日記作成モジュールの起動ボタンとなっており、健康日記閲覧編集ボタン５８は、健康日記閲覧編集モジュールの起動ボタンとなっている。
【００４０】
尚、この実施形態において「健康日記」とは、要看護者の健康に関する情報を日にち単位で記録したものである。「要看護者の健康に関する情報」には、体温や血圧、脈拍といった健康に関する数値データ（バイタルデータ）の他、その日の体調をテキストで表現した情報も含まれ、さらに写真のような画像情報も含まれる。画像は、要看護者の部屋の様子の写真であったり、怪我等の場合には患部の写真であったりし得る。
【００４１】
図５は、健康日記作成モジュールにより表示される健康日記作成用のウインドウ（以下、健康日記作成画面）の構成を例示的に示した概略図である。図５に示すように、日記作成画面には、日付入力欄５９と、メモ入力欄６０と、データ入力欄６１等が設けられている。
日付入力欄５９は、健康日記の日付の入力欄である。健康日記作成モジュールは、看護担当者用端末１のシステム日時から日付及び時刻情報を取得し、デフォルト値として日付入力欄に表示するようプログラミングされている。日付や時刻は、適宜変更して入力できるようになっている。
【００４２】
メモ入力欄６０は、その日の体調や様子等をテキストで入力する欄である。データ入力欄６１は、図５に示すように、血圧や体温などのバイタルデータを入力する欄である。
図５に示すように、健康日記作成画面には、「保存する」と表記されたボタン（以下、日記保存ボタン）６２が設けられている。このボタンには、入力された各情報を保存するコードが埋め込まれている。
【００４３】
健康日記作成画面で入力された情報は、この実施形態では、データベース形式のファイル（以下、健康日記ファイル）に記録されるようになっている。図６は、健康日記ファイルの構造の一例を示す概略図である。
図６に示すように、健康日記ファイルは、「日時」のフィールド、各バイタルデータのフィールド、テキスト情報を記録するフィールド等から成るレコードを多数記録するファイルである。また、写真のようなイメージデータについては、イメージデータがあるかどうかを記録したフィールドである「イメージ有無」のフィールドと、イメージデータのファイルを記録したフォルダの名前である「イメージフォルダ名」とが設けられている。
【００４４】
この訪問看護アプリでは、訪問看護実績情報は個人医療情報デバイス３と看護担当者用端末１とを両方に保存するよう構成されている。上記健康日記ファイルも同様である。なお、「訪問看護実績情報」とは、訪問看護の際の要看護者についての情報をいい、この実施形態では、看護日誌ファイルの情報、健康日記ファイルの情報及び要看護者もしくは当該要看護者の居る場所の画像のデータとを含んでいる。看護日誌や健康日記はバイタルデータを含むものであり、バイタルデータは、この実施形態では、要看護者の身長、体重、血圧、脈拍数、呼吸数、血糖値、歩数、ウォーキング時間及びＨｂＡ１ｃのうちの一つ以上を含む。
【００４５】
図４に示す設定モジュールにより表示される設定画面では、これらファイルの保存先のパスを設定する入力欄が含まれている。個人医療情報デバイス３は、ＵＳＢメモリで構成されているので、パスは、要看護者用端末のＵＳＢ端子となる。また、看護担当者用端末１については、所定のフォルダが指定される。
【００４６】
また、上記健康日記ファイルは、一人の要看護者について基本的に１個のみ作成されるものであるが、訪問看護アプリにおいて、一人の看護担当者が複数の要看護者について訪問看護の担当になることが想定される。つまり、一人の看護担当者（ひいては１個の看護担当者用端末１）が複数の異なる健康日記ファイルを扱うことが想定される。このため、健康日記ファイルは、個々の要看護者で識別可能なファイル名とされる。
【００４７】
健康日記作成モジュールは、図５の保存ボタン６２がクリックされた際、個人医療情報デバイス３上の健康日記ファイルと看護担当者用端末１上の健康日記ファイルとの双方を開き、それぞれについて新しいレコードを追加する。そして、各入力欄に入力された情報を各新しいレコードの各フィールドに記録し、各健康日記ファイルを更新する。このようなコードが保存ボタン６２に埋め込まれている。
【００４８】
また、図５に示すように、健康日記作成画面には、「画像取込」と表記されたコマンドボタン（以下、画像取込ボタン）６３が設けられている。画像取込ボタン６３に埋め込まれたコードについては、幾つか異なるものが考えられる。一つは、単にイメージファイルを指定させる画面を表示し、そこで指定されたイメージファイルを取り込んで記録するだけのコードが考えられる。この場合は、予めカメラで撮影をしてイメージデータを看護担当者用端末１のハードディスク等に保存しておく。あるいは、「画像取込」ボタン６３を押すことで看護担当者用端末１のカメラの撮像画面が起動され、その場で画像を撮影して看護担当者用端末１のハードディスクに保存することもできる。例えば、マイクロソフト社はＷｉｎｄｏｗｓ（同社の登録商標）プラットフォームにおけるメディア系のアーキテクチャとしてＤｉｒｅｃｔＳｈｏｗ（同社の登録商標）を提供しており、ＵＳＢカメラであれば、このライブラリから提供されるコードを適宜選択して実装することで、カメラ操作が可能となる。
【００４９】
いずれにしても、画像取込ボタン６３に埋め込まれたコードにより取得されたイメージファイルは、健康日記ファイルと同じフォルダに保存され、そのファイル名が健康日記ファイルの当該レコードのフィールドに記録される。前述した保存ボタン６２に埋め込まれたサブルーチンは、このような処理を行うコードを含む。
【００５０】
次に、健康日記閲覧編集モジュールについて説明する。図７は、健康日記閲覧編集モジュールで表示される画面（以下、健康日記閲覧編集画面）の構成を例示的に示した概略図である。
図７に示すように、健康日記閲覧編集画面では、「所有者情報」と左端に題された欄に個人情報が表示されるようになっている。また、画面の左端には、各種コマンドボタンが縦に並んで設けられており、中央の大きなスペースの半分（左側）を占めるようにして日付指定欄６４が設けられ、残りの半分（右側）に日記表示欄６５が設けられている。
【００５１】
健康日記閲覧編集モジュールが起動すると、健康日誌閲覧編集モジュールは、図７に示す健康日記閲覧編集画面を表示する。健康日記閲覧編集モジュールは、看護担当者用端末１のシステム日時から日付及び時刻情報を取得し、デフォルト値として日付入力欄に表示するようプログラミングされている。
尚、日付指定欄６４にはカレンダーが示されているが、健康日記閲覧編集モジュールは、起動時に、上記看護担当者用端末１の「デフォルト値」に従って当該日付の欄に目印（例えば背景色の変更）を施すようになっている。即ち、目印されたデフォルトの日付がアクティブの状態でカレンダーが表示されるようになっている。
【００５２】
日付指定欄６４に設けられたカレンダーは、日付を変更するための入力欄として機能するようになっている。現在アクティブとなっている日付以外の日付をタップすると、この日付がアクティブとなり、その日付の健康日記の情報が日記表示欄６５に表示されるようになっている。
即ち、健康日誌閲覧編集モジュールは、カレンダーの特定の日付がアクティブになったのをイベントとして実行されるサブルーチンを有している。このサブルーチンは、アクティブになった日付を検索キーにして健康日記ファイルを検索し、該当するレコードの各フィールドの情報を読み出して日記表示欄６５に組み込んで表示するようプログラミングされている。この他、「前月」「次月」のボタンはカレンダーを前月、次月に切り替えるボタンである。図７は、このようにして特定の日付が選択されてその日の健康日誌の情報が表示された状態を示している。
【００５３】
図７において、画面の左端に示された各コマンドボタンのうち、一番上に位置する「健康日記作成」と表記されたボタン６６は、図４に示す健康日記作成ボタン５７と同様のものであり、健康日記作成モジュールの起動ボタンとなっている。
また、その下の「健康グラフ表示」と表記されたコマンドボタン（以下、グラフ表示ボタン）６７は、バイタルデータをグラフ表示するサブルーチン（以下、グラフ表示サブ）を実行するボタンである。図８は、グラフ表示サブの実行結果の一例を示す概略図である。この例では、拡張期血圧をグラフ表示した例が示されている。
【００５４】
図２の設定モジュールは、グラフ表示サブにおけるグラフの表示様式を設定するサブルーチンを含んでいる。グラフ表示サブは、グラフ表示用のウインドウ（以下、グラフ表示画面）を表示するコードと、選択されたバイタルデータについてグラフ表示するコードとを含んでいる。グラフ表示画面は、図８に示すように、左端にデータ指定欄６８を有し、右側の半分以上のエリアがグラフ表示欄６９となっている。グラフ表示サブは、データ指定欄６８で指定されたバイタルデータを、設定モジュールで設定された期間の範囲で健康日記ファイルから読み出し、グラフ化して表示するようプログラミングされている。
【００５５】
また、図７において、グラフ表示ボタンの下側には、「データ管理」と表記されたコマンドボタン（以下、データ管理ボタン）７０が設けられている。データ管理ボタン７０は、記録されているバイタルデータを修正したり、未記入のデータを追記したりするためのボタンである。
データ管理ボタン７０には、データ管理画面を表示したり、データ管理画面で入力されたバイタルデータを健康日記ファイルに記録したりするコードが埋め込まれている。図９は、データ管理画面の構成を例示的に示した概略図である。
【００５６】
図９に示すようにデータ管理画面では、特定の日にち（即ち、健康日記ファイルの特定のレコード）において記録された各バイタルデータが編集可能な状態で表示されるようになっている。
図９に示すように、データ管理画面では、左側の半分以上のスペースはデータ説明欄７１であり、各バイタルデータの説明情報が表示されるようになっている。説明情報とは、図９に示すように、単位、グラフ表示の際の最大値、最小値、基準値等である。
【００５７】
また、データ管理画面の右側の半分より少し小さいスペースを占めるようにしてデータ表示編集欄７２が表示されるようになっている。データ表示編集欄７２は、測定日時と測定値とが一覧表として表示される欄である。データ説明欄７１は、バイタルデータの種別の指定欄を兼用しており、いずれかの行を選択してアクティブとするとその種別のバイタルデータの測定値がデータ表示編集欄７２に表示されるようになっている。この際、データ表示編集欄７２の「測定日時」の列は、測定日時を選択する欄として機能するようになっており、いずれかの欄をタップするとその欄の測定日時が選択されてその測定日時の値が編集可能となる。例えば、図９の例では、収縮期（高）血圧が選択されて（アクティブ）となっており、この月の日付を選択してその日の収縮期（高）血圧の値が編集可能となっている。健康日記閲覧編集モジュールは、健康日記ファイルから適宜フィールドの値を読み出し、データ管理画面に組み込んで表示するようプログラミングされている。
【００５８】
また、データ管理画面には、「測定値変更」と表示されたコマンドボタン７３が設けられている。測定値を適宜変更して入力した上でこのボタンをタップすると、変更後の値が健康日記ファイルの当該レコードの当該フィールドに上書きされて記録されるようプログラミングされている。また、測定日時の欄に日時は表示されるものの測定値の欄が空欄である場合、健康日記は入力された当該種別のバイタルデータは未記録であることを意味する。この場合、当該測定日時、当該データ種別のアクティブにした上で測定値追加ボタン７４をタップすると、新しく測定値が記録されるようになっている。
【００５９】
また、図７に示すように、健康日記閲覧編集画面には、「テキスト編集」と表記されたコマンドボタン８９が設けられている。このボタン８９がタップされると、図示は省略するが、新しくウインドウが追加され、そのウインドウに図５のメモ入力欄６０で入力された内容が表示されて編集可能となる。このウインドウには、保存ボタンが設けられており、テキストの変更後に保存ボタンがタップされると、変更後の内容が健康日記ファイルの該当レコードの該当フィールドに記録されるようになっている。
【００６０】
次に、カルテ情報の閲覧について説明する。
図３に示すトップ画面に設けられたカルテ閲覧ボタン５３は、カルテ情報閲覧モジュールの起動ボタンとなっている。また、図７に示す健康日記閲覧編集画面にも、「カルテ閲覧」と表記されたコマンドボタン７５が設けられており、ここからもカルテ情報閲覧モジュールが起動できるようになっている。
【００６１】
訪問看護アプリでは、電子カルテ情報は、個人医療情報デバイス３から読み取って閲覧するようプログラミングされている。電子カルテ情報は、個人医療情報デバイス３内の所定のディレクトリに記憶されており、カルテ情報閲覧モジュールは、ここからカルテ情報ファイルを開くようプログラミングされている。尚、後述するように、訪問看護アプリにおいて、電子カルテ情報を、個人医療情報デバイス３ではなく電子カルテサーバー２２又はＳＳ−ＭＩＸサーバー４から読み取るようにしても良い。
【００６２】
図１０は、カルテ情報閲覧モジュールの実行結果を例示的に示す図であり、電子カルテ情報が閲覧されている状態を示した概略図である。図１０に示すように、診療日時、診療病院、担当医の氏名、診療科目などの情報を表示した診療情報記録欄７６と、症状についての詳細を記録した症状記録欄７７と、処方せん情報について記録した処方せん記録欄７８と、診断画像等のイメージを表示するイメージ表示欄７９と、各種検査結果を表示する検査結果表示欄８０等が設けられている。
【００６３】
図１０に示すように、カルテ情報閲覧画面には、日付指定用の欄としてカレンダーが表示されるようになっている。カルテ情報ファイルは、汎用形式ではあるものの、データベース形式と同様に日付を一意の情報として各種の情報が記録されている。従って、日付を指定することで、図１０に示す各種情報を抽出することが可能となっている。カレンダーにおいて特定の日付が指定されると（アクティブとなると）、その日付でカルテ情報ファイルを検索し、図１０に示す各種情報を抽出してカルテ情報閲覧画面に表示するようプログラミングされている。尚、イメージについては、イメージファイルの名前がカルテ情報ファイルに書き込まれる等してイメージファイルがカルテ情報ファイルに関連付けられて個人医療情報デバイス３の所定のディレクトリに保存されており、カルテ情報閲覧モジュールは、この関連情報に従ってイメージをカルテ情報閲覧画面に嵌め込むようプログラミングされている。
尚、カレンダーにおいて他の日付が指定されると、カルテ情報閲覧モジュールは、指定された他の日付におけるカルテ情報を表示する。診療、検査等が全くされていない日はカルテ情報もないので、その日が指定された場合には、カルテ情報閲覧画面の各欄は空白となる。
【００６４】
何らかのカルテ情報のある日を素早く指定した方が良いので、何らかのカルテ情報がある日付について背景柄の変更等の目印がされるようにすると好適である。また、カレンダーの下側には、診療有無、検査有無  診断画像有無の三つの情報が各月毎に表示されるようになっている。それぞれについて「有り」の月がわかるようになっており、カレンダーのその月の表示に変更できるようになっている。尚、カレンダーの背景柄は、診療有り、検査有り、診断画像有りの三つについて異なる柄となっており、その日付について存在する情報が一目でわかるようになっている。
【００６５】
また、図７に示す健康日記閲覧編集画面には、「医療プロファイル閲覧」と表記されたコマンドボタン８１が設けられている。このボタンにより起動されるモジュールとして、図２において省略されているが、訪問看護アプリは、医療プロファイル閲覧モジュールを備えている。医療プロファイル閲覧モジュールは、要看護者の医療プロファイルを閲覧させるモジュールである。医療プロファイルとは、要看護者の禁忌や既往症等の情報であり、カルテ情報とは別に閲覧される要看護者の医療情報である。
【００６６】
図１１は、医療プロファイル閲覧画面の構成を例示的に示した概略図である。医療プロファイルは、個人医療情報デバイス３の専用のフォルダに保存されているファイル（以下、医療ＰＦファイルと呼ぶ）であり、ファイル形式は、マイクロソフト社のエクセルのような汎用形式であり、記録されているのは主としてテキスト情報である。医療プロファイル閲覧モジュールは、医療ＰＦファイルから情報を読み取り、図１１に示すように医療プロファイル閲覧画面に組み込んで表示するようプログラミングされている。尚、医療ＰＦファイルは、カルテ情報ファイルの更新の際に併せて更新されるようになっている。
【００６７】
また、図７に示すように、健康日記閲覧編集画面には、「記録写真閲覧」と表記されたコマンドボタン８２が設けられている。このボタンは、健康日記作成モジュール又は健康日記閲覧編集モジュールで取り込まれた写真（イメージファイル）を表示したり編集したりするためのモジュールの起動ボタンとなっている。このモジュールは、ウインドウ内にプレビュー形式でイメージファイルを表示し、選択されたイメージファイルを通常サイズで表示したり、編集したり、又は削除したりする処理を行うモジュールとなっている。
【００６８】
以上が健康日記閲覧編集モジュール及びそれに関連づけて設けられた各種モジュールの説明である。次に、訪問看護に関するモジュールについて説明する。図２に示すように、訪問看護アプリは、訪問看護サーバー同期モジュールと、看護日誌記録モジュールと、看護日誌報告モジュールと、看護日誌保存モジュールとを含んでいる。
【００６９】
各モジュールの説明に先立ち、訪問看護サーバー９について説明する。前述したように、この実施形態では、訪問看護のサービスは、訪問看護指示書を発行した医師が所属する病院とは別の組織である訪問看護ステーションにより提供される。訪問看護サーバー９は、この訪問看護ステーションが運営するサーバーである。
訪問看護サーバー９は、幾つかのデータベースファイルを管理している。そのうちの一つは、訪問看護の担当割り振りを記録、管理するデータベースファイル（以下、訪看担当ファイル）９１となっている。他のデータベースファイルの一つは、実行された訪問看護の情報（看護日誌）を記録したデータベースファイル（以下、看護日誌ファイル）９２となっている。尚、看護日誌ファイルは、訪問看護実績情報ファイルの具体的形態であり、訪問看護サーバー９は、訪問看護実績情報保存用サーバーの具体的形態である。
【００７０】
図１２は、訪看担当ファイル９１の構造を例示的に示した概略図である。図１２に示すように、訪看担当ファイル９１は、「要看護者ＩＤ」、「要看護者氏名」、「要看護者電話番号」、「主担当」、「副担当」、「臨時担当」等のフィールドから成るレコードを多数記録したデータベースファイルである。
図１３は、看護日誌ファイル９２の構造を例示的に示した概略図である。図１３に示すように、看護日誌ファイル９２は、「実施日時」、「要看護者氏名」、「主担当」、「サービス内容」等のフィールドや、体温等のバイタルデータを記録したフィールド、さらには、主治医への報告事項をテキストで記録したフィールド等から成るレコードを多数記録したデータベースファイルである。尚、「サービス内容」は、訪問看護サービスの各項目の情報が記録されたフィールドである。
尚、個人医療情報デバイス３には、前述したように閲覧用看護日誌ファイルが記憶されている。閲覧用看護日誌ファイルは、図１３の看護日誌ファイルと同様の構造のものであるが、訪問看護アプリで開かれる場合を除き、編集不可とされたファイルである。
【００７１】
一方、訪問看護アプリの看護日誌メインモジュールは、訪問看護メイン画面を表示するコードを含んでいる。図１４は、訪問看護メイン画面の構成を例示的に示す概略図である。
図１４に示すように、訪問看護メイン画面は、訪問看護の担当者についてリスト表示するウインドウとなっている。訪問看護メイン画面内には、「同期」と表記されたコマンドボタン（以下、同期ボタン）８８がある。同期ボタン８８は、訪問看護サーバー同期モジュールの実行ボタンとなっている。
看護担当者用端末１の訪問看護アプリのインストール先のディレクトリにも、訪問看護サーバー９と同様の訪看担当ファイル９１と看護日誌ファイル９２が保存されている。訪問看護サーバー同期モジュールは、これら看護担当者用端末１上の二つのデータベースファイルと、訪問看護サーバー９上の対応する二つのデータベースファイル９１，９２とをそれぞれ同期させ、最新のものにするモジュールである。具体的には、訪問看護サーバー同期モジュールは、まず、看護担当者端末上の訪看担当ファイルと訪問看護サーバー９上の訪看担当ファイル９１を比較し、更新日時が新しい方のファイルを古い方のファイルにコピーして上書きする。看護日誌ファイルについても同様に、新しい方のファイルを古い方のファイルにコピーして上書きする。
【００７２】
看護日誌メインモジュールは、起動時に訪問看護サーバー同期モジュールを自動実行するとともに、訪看担当ファイルの内容を訪問看護メイン画面に組み込んで表示するようプログラミングされている。図１４は、このような看護日誌メインモジュールの起動結果が示されている。
図１４に示すように、訪問看護メイン画面では、各要看護者について訪問看護の主担当、副担当、臨時担当などがリスト表示されるようになっている。リストの各行に左端には、「記録」と表記された欄と、「報告」と表記された欄が設けられている。これらの欄は、表記された文字部分にプログラムが埋め込まれており、そのプログラムが、看護日誌記録モジュール、看護日誌報告モジュールとなっている。
【００７３】
まず、看護日誌記録モジュールについて説明する。図１５は、看護日誌記録モジュールによって表示される看護日誌記録画面の構成を例示的に示した概略図である。図１４に示すリストの各行の「記録」と表記された部分には、当該行の要看護者の氏名と主担当の看護担当者の氏名とが埋め込まれており、看護日誌記録モジュールは、これらを引数にして起動されるようになっている。看護日誌記録モジュールは、図１５に示すように、看護日誌記録画面内の上側位置にこれらを組み込んで表示するようになっている。
【００７４】
図１５に示すように、看護日誌記録画面内の左側のスペースには、サービス内容選択欄８３が設けられている。サービス内容選択欄８３では、訪問看護において提供される各サービス（看護項目）の名称がチェックボックスとともに表示されるようになっている。
また、看護日誌記録画面内の右側のスペースには、バイタルデータ記録欄８４と、各種状況記録欄とが設けられている。各種状況記録欄のうち、写真撮影状況記録欄には、「<<撮影」と表記されたコマンドボタン８５が設けられている。このボタン８５は、看護担当者用端末１に搭載されるか又は接続されたカメラ（ＵＳＢカメラ等）により撮影を行う撮影モジュールの起動ボタンとなっている。撮影モジュールは、ＤｉｒｅｃｔＳｈａｗのような汎用のカメラ制御ＡＰＩを使用するか、カメラメーカーから提供されるカメラ制御アプリケーションを使用して撮影が行われるようプログラミングされている。
【００７５】
看護日誌記録画面に入力された各情報は、一時的にメモリ変数に格納される。また、撮影モジュールの実行により取得されたイメージファイルも、一時的にメモリに記憶される。
図１５に示すように、看護日誌記録画面には、「報告入力」と表記されたコマンドボタン８６が設けられている。このボタンには、看護日誌報告モジュールの起動ボタンとなっている。また、図１４に示す訪問看護メイン画面内の担当者リスト中の各行の「報告」の部分も、看護日誌報告モジュールの起動ボタンとなっている。看護日誌報告モジュールも、要看護者の氏名と主担当の氏名とを引数として起動される。また、図１５に示すように、看護日誌記録画面内にも、「報告入力」と表記された報告入力ボタン８６が設けられており、このボタン８６も同様の看護日誌報告モジュールの起動ボタンとなっている。
【００７６】
図１６は、看護日誌報告モジュールによって表示される看護日誌報告画面の構成を例示的に示した概略図である。図１６に示すように、看護日誌報告画面でも、画面内の上側位置には、要看護者の氏名と主担当の看護担当者の氏名が表示されるようになっている。図１６に示すように、看護日誌報告画面は、テキスト情報の入力欄として、ケアマネ報告欄、主治医報告欄、備考欄がそれぞれ設けられている。
【００７７】
そして、図１６の画面の右下には、「報告終了」と表記されたコマンドボタン（以下、報告終了ボタン）８７が設けられている。このボタンは、入力された情報を、看護担当者用端末１と個人医療情報デバイス３との双方に保存する看護日誌保存モジュール（図２）の起動ボタンとなっている。
具体的に説明すると、看護日誌保存モジュールは、まず、看護担当者用端末１上の看護日誌ファイルに記録する。即ち、看護日誌保存モジュールは、看護日誌ファイルを開いて新しいレコードを追加し、訪問看護記録画面で入力されて保持された情報と、訪問看護報告画面で入力された情報とを、それぞれのフィールドに記録してファイルを更新する。
【００７８】
また、看護日誌保存モジュールは、個人医療情報デバイス３に記憶された閲覧用看護日誌ファイルを開き、同様に新しいレコードを追加して情報を記録し、ファイルを更新する。尚、閲覧用看護日誌ファイル３５１は、当該個人医療情報デバイス３の保有者（当該要看護者）についての看護日誌の情報のみが記録されるから、各レコードにおける「要看護者ＩＤ」及び「要看護者氏名」は、一致したものになる。
【００７９】
尚、看護日誌記録画面で各情報が入力されていない状態で看護日誌報告画面で報告終了ボタン８７がタップされると、「訪問看護記録を入力してから終了ボタンをタップして下さい。」といったエラーメッセージが表示され、訪問看護記録を入力するよう促される。また、終了ボタン８７に埋め込まれているコードは、最後に訪問看護サーバー同期モジュールを実行するようになっている。このため、入力された各情報が訪問看護サーバー９上の看護日誌ファイル９２にも記録される。
【００８０】
次に、ビデオ通話モジュールについて説明する。例えば、Ｓｋｙｐｅ ＵＲＩｓのように、ビデオ通話アプリケーションの提供元は、開発者向けにビデオ通話ＡＰＩを公開している。ビデオ通話モジュールは、このようなビデオ通話ＡＰＩを使用し、予め設定された通話先に対して自動的にビデオ通話の要求をするようプログラミングされている。
【００８１】
具体的には、ビデオ通話モジュールとしては、図３に示す家族通話ボタン５４によって起動される家族通話モジュールと、主治医通話ボタン５５によって起動される主治医通話モジュールとが設けられている。家族通話モジュールが起動すると、家族通話モジュールは、個人医療情報デバイス３が装着されているかどうか確認し、装着されていなければ、装着を促すメッセージを表示する。個人医療情報デバイス３が装着されると、家族通話モジュールは、個人情報ファイルを開き、緊急連絡先の電話番号を取得する。そして、ビデオ通話ＡＰＩを使用し、その電話番号に電話をかける（即ち、通話要求を発信する）。
【００８２】
また、主治医通話モジュールが起動すると、主治医通話モジュールは、カルテ情報ファイルから主治医の電話番号を取得する。即ち、カルテ情報ファイルには、主治医の電話番号の情報が含まれている。そして、主治医通話モジュールは、取得した電話番号に電話をかける。
【００８３】
図１７は、ビデオ通話モジュールの実行状況を例示的に示した概略図である。この例では、主治医との通話状況が示されている。図１７に示すように、ビデオ通話モジュールが実行されると、ビデオ通話ＡＰＩが提供する画面に切り替わる。そして、画面内には、主治医の側の映像１０７と、訪問看護アプリ側の映像（要看護者又は看護担当者の映像）１０８とが映し出される。尚、ＩＰ電話による場合、ビデオ通話モジュールは、電子メールアドレスを取得してそこに電話するよう構成される場合もある。
【００８４】
次に、健康管理アプリとカルテ情報取得アプリについて補足して説明する。
健康管理アプリは、要看護者自身が利用するアプリケーションソフトウェアであり、要看護者自身が操作する端末（以下、要看護者用端末）１０１上で実行されるソフトウェアである。要看護者用端末１０１は、個人医療情報デバイス３を装着してデータのやり取りができるものであれば特に限定されないが、典型的にはタブレットＰＣやデスクトップＰＣ、ノートＰＣ等である。
【００８５】
前述したように、個人医療情報デバイス３のルートには自動実行プログラム(autorun.exe)が設けられており、個人医療情報デバイス３を要看護者用端末１０１に装着すると、ＯＳの機能により個人医療情報デバイス３が認識され、自動実行プログラムが実行される。尚、最近のＯＳは、ウイルス対策等のためにＵＳＢメモリ上のプログラムを自動実行しないように設定する機能を備えているが、要看護者用端末１０１は、この機能をしないようＯＳ上の設定がされる。
【００８６】
自動実行プログラムは、前述したように、ユーザーＩＤとパスワードによる認証の後、健康管理アプリ選択画面を表示するプログラミングされている。図１８は、健康管理アプリ選択画面の概略図である。図１８に示すように、健康管理アプリ選択画面では、「健康日記作成」と表記されたコマンドボタン（以下、健康日記作成ボタン）１０２、「健康日記閲覧編集」と表記されたコマンドボタン（以下、健康日記閲覧編集ボタン）１０３、「電子カルテ閲覧」と表記されたコマンドボタン（以下、カルテ閲覧ボタン）１０４、「看護日誌閲覧」と表記されたコマンドボタン（以下、看護日誌閲覧ボタン）１０５、「個人情報管理」と表記されたコマンドボタン（以下、個人情報管理ボタン）１０６等が設けられている。
【００８７】
健康日記作成ボタン１０２及び健康日記閲覧編集ボタン１０３は、健康日記アプリのモジュール起動用である。個人医療情報デバイス３の所定のディレクトリにインストールされている健康管理アプリは、健康日記作成モジュールと健康日記閲覧編集モジュールを備えている。これらモジュールは、前述した訪問看護アプリが備えたものと同様である。従って、詳細な説明は割愛する。
【００８８】
この実施形態では、医師用端末２にカルテ情報取得アプリがインストールされており、カルテ情報取得アプリを起動させることで、電子カルテ情報を個人医療情報デバイス３に保存する。医師用端末２が接続されている病院内の電子カルテサーバー２２は、ＳＳ−ＭＩＸサーバー４と連動しており、電子カルテサーバー２２上の電子カルテ情報をＳＳ−ＭＩＸサーバー４に提供している。
ＳＳ−ＭＩＸサーバー４は、カルテ情報の提供元である病院や医師に対してアクセス権限を与えており、ＩＤ及びパスワード認証により特定の個人の電子カルテ情報のダウンロードを許可するようになっている。また、ＳＳ−ＭＩＸサーバー４は、氏名、生年月日、健康保険証番号といった個人情報で患者を特定するようにしており、このようにして特定された患者の電子カルテ情報を汎用形式のファイルで提供するようになっている。
【００８９】
したがって、医師用端末２のカルテ情報取得アプリが起動すると、カルテ情報取得アプリは、医師用（又は病院用）のＩＤ及びパスワードの入力画面を表示する。この画面には、送信ボタンが設けられており、この送信ボタンには、ＳＳ−ＭＩＸサーバー４に認証要求を送信するコードが埋め込まれている。そして、カルテ情報取得アプリは、正しく認証されてＳＳ−ＭＩＸサーバー４とのセッションが開始されると、患者の氏名、生年月日、保険証番号等を入力する画面を表示し、これらの情報を入力させて電子カルテ情報のファイルをダウンロードするようプログラミングされている。健康管理アプリの電子カルテ閲覧ボタン１０４をタップすると、電子カルテ情報を閲覧することができる。
【００９０】
健康管理アプリは、看護日誌閲覧ボタン１０５によって起動されるモジュールとして看護日誌閲覧モジュールを備えている。看護日誌閲覧モジュールは、個人医療情報デバイス３に保存されている閲覧用看護日誌ファイル３５１の内容を表示するモジュールである。
図１９は、看護日誌閲覧モジュールにより表示される看護日誌閲覧画面の構成を例示的に示した概略図である。看護日誌閲覧モジュールは、閲覧用看護日誌ファイル３５１からデフォルトのレコードの内容を読み取り、図１９に示すような画面に組み込んで表示するようプログラミングされている。デフォルトのレコードとは、最新の日付のレコード又は前回閲覧したレコード等である。
【００９１】
尚、上記の通り、個人医療情報デバイス３は、ＵＳＢメモリに必要なソフトウェアがインストールされることで構成されたデバイスである。即ち、市販のＵＳＢメモリを個人医療情報デバイス３とすることができるようソフトウェアパッケージが別途提供される。ソフトウェアパッケージは、セキュリティ認証（パスワードによるユーザー認証）を含む自動実行プログラム(autorun.exe)、ＩＤやパスワードの初期設定プログラム、個人情報の登録プログラム（個人情報ファイルの生成プログラム）、健康管理アプリのインストール用ファイル等を含むことになる。要看護者は、ＵＳＢメモリを購入し、ソフトウェアパッケージをインストールして個人医療情報デバイス３とする。他の構成としては、個人医療情報デバイス３とされているもの（ソフトウェアインストール済みのＵＳＢメモリ）が販売、提供される場合もあり得る。この場合は、必要なソフトウェアがプリインストールされており、パスワード設定と個人情報登録をするだけで使えるようにした製品とされる。
【００９２】
次に、上記構成に係る訪問看護支援システムの全体の動作について、以下に概略的に説明する。
まず、ある者が病気にかかり、病院を訪れて診療を受ける。この際、主治医はカルテを作成し、病院の電子カルテサーバー２２に情報を登録するとともに、患者に対し、自宅で訪問看護サービスを受けた方が良いと伝える。一方、この患者は、ＵＳＢメモリにソフトウェアパッケージをインストールする等して個人医療情報デバイス３を保有しており、診療に際してこのデバイスを持参する。医師は、使用している医師用端末２に個人医療情報デバイス３を装着する。
【００９３】
個人医療情報デバイス３を装着すると、自動実行プログラム(autorun.exe)が実行され、認証画面が表示される。医師は、患者（要看護者）からＩＤとパスワードを教えてもらって入力し、個人医療情報デバイス３内の各ファイルに対するアクセス権限が与えられた状態とする。次に、医師は、医師用端末２においてカルテ情報取得アプリを起動させ、表示される画面で、患者の氏名、生年月日、保険証番号等を入力する。カルテ情報取得アプリは、入力された情報に従い、ＳＳ−ＭＩＸサーバー４から汎用形式のカルテ情報ファイルを取得し、個人医療情報デバイス３内の所定のディレクトリに識別可能な所定のファイル名で記憶される。
【００９４】
また、要看護者は、病院での診察以外に、自分で健康管理をしており、その情報は健康管理アプリを使用して個人医療情報デバイス３に記録される。即ち、要看護者は、体温、血圧、心拍数等のバイタルデータを測定する機器を自宅に保有しており、毎日又は数日おきにこれらバイタルデータを測定する。そして、これらバイタルデータを、自身の個人医療情報デバイス３に記録する。
【００９５】
具体的には、要看護者は、個人医療情報デバイス３を自身のデスクトップＰＣのような要看護者用端末１０１に装着し、パスワードを入力して健康管理アプリ選択画面を表示する。そして、健康管理アプリを選択し、健康日記作成ボタン１０２をクリック又はタップする。これにより、図５に示すような健康日記作成画面が表示され、測定したバイタルデータを入力する。また、健康状態をテキスト情報で入力する。その後、保存ボタンをクリック又はタップすることで情報が個人医療情報デバイス３に記録される。
【００９６】
一方、診察の後、医師は訪問看護指示書を訪問看護ステーションに発行する。訪問看護ステーションは、この要看護者の訪問看護を担当する者を決定し、訪看担当ファイル９１に登録する。具体的には、訪問看護ステーション内には訪問看護サーバー９にアクセス可能な管理用端末９３が設けられており、管理担当者が管理用端末９３を操作し、訪看担当ファイル９１を開いて新しいレコードを追加する。
決定された担当者（看護担当者）は、訪問看護指示書に従い、要看護者の自宅を訪問し、訪問看護サービスを提供する。この際、看護担当者は、看護担当者用端末１を携帯して持ち込む。
【００９７】
看護担当者は、要看護者から個人医療情報デバイス３を借り、看護担当者用端末１に装着する。そして、自動実行プログラムが実行されてパスワードの入力画面が表示されると、要看護者からパスワードを聞いて入力する（又は要看護者自身に入力してもらう）。これにより認証が行われ、健康管理アプリ選択画面が表示される。看護担当者は、特にアプリは選択せず、認証により個人医療情報デバイス３内の各ファイルにアクセス権限が与えられたままの状態とする。
【００９８】
その一方で、看護担当者は、看護担当者用端末１上で訪問看護アプリを立ち上げ、図３に示す初期画面を表示する。そして、カルテ閲覧ボタン５３をタップし、カルテ情報閲覧モジュールを実行する。カルテ情報閲覧モジュールは、個人医療情報デバイス３に記憶されたカルテ情報ファイルを開き、各情報を読み取って図１０のカルテ情報閲覧画面に組み込み、看護担当者用端末１に表示する。看護担当者は、表示されたカルテ情報を閲覧し、疾病の内容や診断、治療の状況を確認する。
【００９９】
また、看護担当者は、図４の健康日記トップ画面で日記閲覧編集ボタン５８をタップし、健康日記閲覧編集モジュールを実行する。表示される図７の健康日記閲覧編集画面で、カレンダー等で日付の適宜選択し、その訪問看護の前の健康管理の状況（要看護者自身による健康管理の状況）を確認する。
看護担当者は、このようにカルテ情報や健康管理状況を閲覧した上で、指示されている看護サービスを提供する。また、状況により要看護者自身の判断で必要な処置や看護サービスが提供されることもある。
【０１００】
さらに、看護担当者は、健康日記の入力を看護担当者用端末１から行う。即ち、図４の健康日記トップ画面で健康日記作成ボタン５７をタップし、図５の健康日記作成画面を表示する。そして、持参した検査機器や要看護者の自宅にある検査機器を使用し、各種バイタルデータを測定する。検査機器は、赤外線通信又はBluetooth通信によりデータを要看護者用端末１０１に送信するものであり得る。測定したデータは、健康日記作成画面で入力される。また、看護担当者は必要に応じて写真撮影を行い、健康日記作成画面の画像取込ボタン６３をタップして写真のイメージデータを取り込む。
健康日記作成画面で入力されたバイタルデータやテキスト情報、取り込まれた写真のイメージデータは、個人医療情報デバイス３の健康日記ファイルと看護担当者用端末１の健康日記ファイルの双方に記録される。
【０１０１】
このようにして訪問看護サービスが提供された後、看護担当者は、看護担当者用端末１に看護日誌を記録する。即ち、個人医療情報デバイス３が装着されて各ファイルへのアクセス権が与えられている状態で、看護担当者は、図３の看護日誌ボタン５２をタップし、図１４の看護日誌トップ画面を表示する。そして、表示される担当リスト中の該当する要看護者の行の記録ボタンをタップし、図１５の看護日誌記録画面を表示する。そして、サービス項目のチェック入力、各種バイタルデータの入力、写真のイメージファイルの取込等を行った後、報告入力ボタン８６をタップし、図１６の看護日誌報告画面を表示する。そして、各テキスト情報を入力し、報告終了ボタン８７をタップする。これにより、入力された情報や取り込まれたファイルが、個人医療情報デバイス３と看護担当者用端末１の双方に記憶、保存される。
【０１０２】
尚、訪問看護の際、要看護者の容体が急変するなどし、主治医や家族に緊急に連絡を取る必要が生じる場合がある。この場合、要看護者は、訪問看護アプリの初期画面（図３）で家族通話ボタン５４又は主治医通話ボタン５５をタップし、ビデオ通話モジュールにより家族又は主治医との間でビデオ通話を行う。この際、必要に応じて要看護者の容体をリアルタイムの映像として家族又は主治医に見せる。
【０１０３】
このような訪問看護が行われた後、要看護者は再び病院を訪れ、医師の診察を受ける。この際も、要看護者は個人医療情報デバイス３を持参し、医師は個人医療情報デバイス３を医師用端末２に装着する。そして、同様にパスワードを教えてもらって入力し、健康管理アプリ選択画面を表示する。
ここでは、医師は、図１８の看護日誌閲覧ボタン１０５をタップし、看護日誌閲覧モジュールを起動する。看護日誌閲覧モジュールは、デフォルトの日付で看護日誌閲覧画面を医師用端末２に表示する。医師は、看護日誌閲覧画面内の日付選択欄（カレンダー等）を操作し、来院時に近い適宜の日付に変更する。看護日誌閲覧モジュールは、個人医療情報デバイス３に記憶された閲覧用看護日誌ファイルを開き、変更された日付のレコードの内容を看護日誌閲覧画面に組み込んで医師用端末２に表示する。この結果、来院時に近い適宜の日付の訪問看護状況が確認される。
さらには、医師は、健康管理アプリ選択画面で、健康日記閲覧編集ボタン１０３をタップし、図７の健康日記閲覧編集画面を表示する。同様に適宜日付を変更し、来院時に近い日付の健康管理状況を確認する。
【０１０４】
このようにして医師は、診察時の要看護者の状況に加え、来院時に近い日付の訪問看護の状況や健康管理の状況をも確認しながら診断、治療を行う。このようにして診断、治療を行った結果は、処方せんの情報も含め、電子カルテサーバー２２のカルテ情報ファイル２３に記録される。その後、医師は、医師用端末２のカルテ情報取得アプリを起動させ、同様にＳＳ−ＭＩＸサーバー４経由で汎用形式のカルテ情報ファイルを取得し、個人医療情報デバイス３に記憶する。
以後の動作も同様であり、再びこの要看護者に訪問看護が行われれば、看護担当者は、看護担当者用端末１と個人医療情報デバイス３によって、看護日誌の作成や保存、健康日記の作成や保存等を行う。そして、要看護者は、日常生活において、個人医療情報デバイス３を自身の端末に装着し、健康管理アプリによって健康日記を作成、保存する。
【０１０５】
尚、要看護者は病院に入院することがあり得るが、入院中の情報も個人医療情報デバイス３に記憶されることがあり得る。即ち、入院中に発生した電子カルテ情報をカルテ情報取得アプリにより取得したり、入院中に看護師により測定されたバイタルデータを健康管理アプリにより記憶したりすることがあり得る。但し、このためには、要看護者が自身の端末１０１を病室に持ち込んで操作するか、又は院内の端末に個人医療情報デバイス３を装着させてもらって看護師等に操作してもらう必要がある。
【０１０６】
以上のような構成及び動作に係る実施形態の訪問看護支援システムによれば、訪問看護の際、看護担当者は、要看護者の電子カルテ情報の閲覧が可能であり、疾病の経過や診断、投薬の状況等を確認しながら、訪問看護サービスを行うことができる。このため、よりキメの細かいより適切なサービスが提供される。この際、個人情報である電子カルテ情報の内容は、要看護者が保有する個人医療情報デバイス３を介して閲覧され、要看護者の同意が技術的に前提とされる（即ち、パスワード認証が必要とされる）。このため、個人情報保護の観点も十分に配慮されている。
【０１０７】
また、個人医療情報デバイス３には、バイタルデータを含む要看護者の日々の健康管理の情報が記録されており、看護担当者用端末１は、この情報を表示して看護担当者に閲覧させることができる。このため、看護担当者は、健康管理の状況を考慮しながら訪問看護サービスが提供でき、この点でもよりキメ細かくより適切なサービスが提供される。
【０１０８】
さらに、訪問看護の実行結果の記録である看護日誌ファイルが個人医療情報デバイス３に記憶されるので、その後の医師による診察の際、医師は、個人医療情報デバイス３から看護日誌ファイルを読み取って看護日誌を閲覧することができる。このため、どのような訪問看護が行われたかを確認しながら次の診断や治療、投薬等が行える。このため、医師の診断等もよりキメ細かくより適切に行うことができる。この場合も、看護日誌ファイルの閲覧は、個人医療情報デバイス３経由で行われ、要看護者の承認を技術的な形（パスワード認証）で得た形で行われるので、個人情報保護の点も十分に配慮されている。
【０１０９】
尚、医師による看護日誌閲覧の点で重要なのは、個人医療情報デバイス３にインストールされているアプリケーションソフトウェア（健康管理アプリ）に看護日誌閲覧のプログラムが含まれているので、医師用端末２は特にそのようなプログラムをインストールしておくことが不要という点である。つまり、要看護者は、引っ越し等によって病院を変える場合があり、個人医療情報デバイス３は、異なる医師用端末２によって読み取られることがあり得る。この場合、看護日誌閲覧用のプログラムが医師用端末２にインストールされていることが必要であると、医師は、予めプログラムをインストールしておかなければならず、面倒である。実施形態のシステムでは、このような面倒はない。但し、医師用端末２が個人医療情報デバイス３上のプログラムの実行を許可するセキュリティ設定としておく必要はある。
【０１１０】
上記実施形態のシステムにおいて、看護日誌の閲覧については、医師用端末２が訪問看護サーバー９に対してアクセスを行うことにより行う場合もあり得る。例えば、訪問看護ステーションが病院内の組織であり、医師用端末２が病院内のＬＡＮで訪問看護サーバー９に接続されている場合、訪問看護サーバー９に対して直接アクセスすることで看護日誌ファイルの内容を閲覧することもあり得る。また、訪問看護ステーションが医師が所属する病院とは別の組織であっても、病院と訪問看護ステーションとが提携関係にあり、インターネットを介して情報を交換している場合もある。この場合も、医師用端末２はインターネットを介して訪問看護サーバー９にアクセスし、看護日誌ファイルの内容を閲覧することがあり得る。この場合は、別組織となるので、病院は、看護日誌の閲覧について事前に要看護者から同意を取っておく。
【０１１１】
また、看護担当者用端末１における電子カルテ情報の閲覧についても、上記とは異なる構成があり得る。例えば、電子カルテ情報そのものは電子カルテサーバー２２やＳＳ−ＭＩＸサーバー４上のものとしておき、サーバー２２，４に対するアクセス権限の情報を個人医療情報デバイス３に記憶するようにしてもよい。この場合、そのアクセス権限は、当該個人医療情報デバイス３を保有する要看護者についての電子カルテ情報とされることは言うまでもない。看護担当者は、個人医療情報デバイス３を看護担当者用端末１に装着し、アクセス権限に関する情報を電子カルテサーバー２２又はＳＳ−ＭＩＸサーバー４に送信して電子カルテ情報を閲覧する。
【０１１２】
また、電子カルテ情報そのものは電子カルテサーバー２２又はＳＳ−ＭＩＸサーバー４上のものとしておき、サーバー２２，４に対して看護担当者用端末１からアクセスし、電子カルテ情報を看護担当者用端末１の記憶部に記憶することも可能である。この場合、看護担当者用端末２２には、電子カルテサーバー２２又はＳＳ−ＭＩＸサーバーに対するアクセス権限が与えられる。そして、訪問看護アプリは、要看護者を特定する情報をサーバー２２，４に送信してカルテ情報を取得し、ディスプレイに表示するモジュールを含むことになる。尚、上記実施形態において、電子カルテサーバー２２やＳＳ−ＭＩＸサーバー４は、カルテ情報保存用サーバーの具体的形態である。
【０１１３】
尚、上記実施形態では、訪問看護サービスが提供される場所、即ち要看護者が居る場所は要看護者の自宅であったが、他の場合もあり得る。例えば、看護師が常駐していない老人ホームや介護施設といった場所を看護師が訪問してサービスを提供する場合があり得る。
【０１１４】
また、上記実施形態において、取り込まれるイメージデータは、要看護者が居る場所の周囲３６０度（全方位）を撮影した画像であり得ると説明したが、このような画像は幾つかの意味がある。一つには、自宅のような病院以外で療養している場合、どのような環境であるか非常に重要であり、この点で意味を持つ。例えばどの程度の陽当たりの場所であるとか、掃除等が行き届いた部屋であるかといった点である。また、怪我や後遺症によって運動能力に障害が生じている場合、リハビリ等がし易い環境であるかどうか、さらに怪我等をし易くなっていないか等をチェックする必要があり、全方位の画像は有益である。また、高齢者の場合には、寝たきりにならないように適宜の位置に手すり等があると好ましいが、このような点のチェックも画像から行える。
尚、イメージデータは、静止画だけではなく、動画であっても良いことは勿論である。さらに、要看護者が寝たきりのような場合、イメージデータは、床ずれによる褥瘡の状況を撮影した画像であり得る。
【０１１５】
また、訪問看護においては、要看護者に対して各種テストが実施されることがある。例えば、日常生活動作の能力に関する評価（ＡＤＬ評価）として、Barthel Indexや機能的自立度評価表（ＦＩＭ）が知られている。また、神経学的テストとしては、ブルンストロームの回復ステージが知られており、脳卒中後遺症等からのリハビリの際の指標として用いられている。さらに、床ずれによる褥瘡については、DESIGN-R（登録商標）のような褥瘡経過評価及び重症度分類の指標も知られている。訪問看護においては、このような指標に基づくテストが要看護者に対して行われることがある。
【０１１６】
上記実施形態において、このようなテストの結果も訪問看護実績情報であるので、看護日誌に含められると好適である。具体的には、図１５に示す看護日誌記録画面のサービス内容選択欄８３には、各種テストを選択する欄が設けられており、訪問看護指示書に従って実施するテストが選択される。看護担当者は、図１６に示す訪問看護報告画面の主治医報告欄等にテスト結果を入力し、看護日誌の内容に含める。
【０１１７】
このようにすると、主治医は、要看護者の日常生活動作能力を把握したり、疾病からの回復度合いを把握したりすることができ、その後の治療やリハビリに活かすことができる。尚、Barthel IndexやＦＩＭ、ブルンストロームの回復ステージといった各種指標に応じた専用の入力欄を設け、その入力欄に各種指標の内容が表示されるようにしておき、それに従ってテスト結果を入力するようにしておくと、入力が容易であり、またミスが少なくなるので、好適である。
【０１１８】
また、個人医療情報デバイス３において、自動実行プログラム(autorun.exe)は、パスワード認証を行うコードを含んでいたが、認証用のデータのみが個人医療情報デバイス３に記憶されていても良い。例えば、個人医療情報デバイス３はユーザーＩＤを記憶しており、そのユーザーＩＤに対応するパスワードが保存されていて認証プログラムが実装されているサーバーが別にあってそこにアクセスして認証を行うようにしても良い。
【０１１９】
尚、個人医療情報デバイス３に認証用のプログラム又はデータが記憶されていることは必須要件ではない。ある者が個人医療情報デバイス３を正当に保有していて、その者が自己の個人医療情報デバイス３を看護担当者なり主治医なりに渡すことが個人情報の利用の同意となり得る。つまり、個人医療情報デバイス３というハードウェアの利用自体が個人情報利用同意を前提とさせる技術的手段となり得る。但し、個人医療情報デバイス３が盗まれたり勝手に使用されたりすることがあり得るから、本人しか知らない情報（即ちパスワード）による認証という技術構成を採用することは、このような不正利用を防止する観点から意味がある。
【０１２０】
また、個人医療情報デバイス３における認証については、パスワード認証の他、静脈認証のような生体認証の技術が使用されることもあり得る。パスワード認証の場合、要看護者からパスワードを聞くか又はパスワードを入力してもらわなければならないが、例えば要看護者が急に意識を無くしてしまったような緊急事態の場合、静脈認証のような生体認証の構成であると、緊急事態の措置として個人医療情報デバイス３内の各ファイルへのアクセスが可能になるので好適である。
【符号の説明】
【０１２１】
１  看護担当者用端末
２  医師用端末
２２  電子カルテサーバー
３  個人医療情報デバイス
４  ＳＳ−ＭＩＸサーバー
９  訪問看護サーバー
９１  訪看担当ファイル
９２  看護日誌ファイル
１００  インターネット
１０１  要看護者用端末
【図１】
2016057716.tif 000003
【図２】
2016057716.tif 000004
【図３】
2016057716.tif 000005
【図４】
2016057716.tif 000006
【図５】
2016057716.tif 000007
【図６】
2016057716.tif 000008
【図７】
2016057716.tif 000009
【図８】
2016057716.tif 000010
【図９】
2016057716.tif 000011
【図１０】
2016057716.tif 000012
【図１１】
2016057716.tif 000013
【図１２】
2016057716.tif 000014
【図１３】
2016057716.tif 000015
【図１４】
2016057716.tif 000016
【図１５】
2016057716.tif 000017
【図１６】
2016057716.tif 000018
【図１７】
2016057716.tif 000019
【図１８】
2016057716.tif 000020
【図１９】
2016057716.tif 000021